(57)【要約】【目的】  本発明は凝集光触媒浄化剤とその工法に関し、有害物質（重金属類、ＶＯＣ、ＰＣＢ、ダイオキシン類、有機化合物）を含有している廃泥水及び汚泥に混ぜて撹拌混合するだけで、清水とフロックに分離する。分離した清水とフロックに含有している有害物質を凝集光触媒浄化剤に配合されている酸化チタンの光触媒反応によって分解し、無害化した清浄化水と浄化フロックにする。【構成】  有害物質（重金属類、ＶＯＣ、ＰＣＢ、ダイオキシン類、有機化合物）を含有している廃泥水及び汚泥に対する凝集光触媒浄化剤の配合順番及び配合含有率が、１番目に硫酸カルシウム２０〜４０％、２番目に硫酸アルミニウム１５〜３５％、３番目に二酸化硅素１〜１５％、４番目に炭酸ナトリウム１０〜３０％、５番目に高分子凝集剤１〜１０％、６番目にタルカム１〜１０％、７番目にゼオライト１０〜２５％、８番目に活性炭５〜２０％、９番目に酸化チタン５〜２０％にて混合撹拌した構成。【選択図】図９
2005058987.tif 000002
【特許請求の範囲】
【請求項１】
有害物質（重金属類、ＶＯＣ、ＰＣＢ、ダイオキシン類、有機化合物）を含有している廃泥水及び汚泥に対する凝集光触媒浄化剤の配合順番及び配合含有率が、１番目に硫酸カルシウム２０〜４０％、２番目に硫酸アルミニウム１５〜３５％、３番目に二酸化硅素１〜１５％、４番目に炭酸ナトリウム１０〜３０％、５番目に高分子凝集剤１〜１０％、６番目にタルカム１〜１０％、７番目にゼオライト１０〜２５％、８番目に活性炭５〜２０％、９番目に酸化チタン５〜２０％にて混合撹拌したことを特徴とする凝集光触媒浄化剤。
【請求項２】
有害物質（重金属類、ＶＯＣ、ＰＣＢ、ダイオキシン類、有機化合物）を含有している池、用水路、河川、運河、湖沼等の廃泥水及び汚泥に凝集光触媒浄化剤を目安として１リットルの廃泥水及び汚泥に対して０．５〜３ｇを添加し、高圧エアー、高圧ジェット水で混合撹拌し、清水とフロックに分離させる。分離した清水とフロックに含有している請求項１の配合順番及び配合含有率９番目の酸化チタンが太陽光の紫外線によって光触媒反応を起こし、清水とフロックに含有している有害物質を分解し、無害化した清浄化水と浄化フロックにすることを特徴とする凝集光触媒浄化剤とその工法。
【請求項３】
有害物質（重金属類、ＶＯＣ、ＰＣＢ、ダイオキシン類、有機化合物）を含有している廃泥水及び汚泥を堆積・滞留・貯留している下水マンホール、汚泥貯留タンク内の廃泥水及び汚泥と凝集光触媒浄化剤を目安として１リットルの廃泥水及び汚泥に対して０．５〜３ｇを添加し、撹拌機、高圧エアー、高圧ジェット水で混合撹拌し、清水とフロックに分離させる。分離した清水とフロックに含有している請求項１の配合順番及び配合含有率９番目の酸化チタンが発光ダイオード（ＬＥＤ）の紫外線照射によって光触媒反応を起こし清水とフロックに含有している有害物質を分解し、無害化した清浄化水と浄化フロックにすることを特徴とする凝集光触媒浄化剤とその工法。
【請求項４】
有害物質（重金属類、ＶＯＣ、ＰＣＢ、ダイオキシン類、有機化合物）を含有している廃泥水及び汚泥を汚泥吸引車（ダンパー車）のタンク内に吸引しながら凝集光触媒浄化剤を目安として１リットルの廃泥水及び汚泥に対して０．５〜３ｇを添加し、タンク内で混合撹拌し、清水とフロックに分離させる。分離した清水とフロックに含有している請求項１の配合順番及び配合含有率９番目の酸化チタンが発光ダイオード（ＬＥＤ）の紫外線照射によって光触媒反応を起こし、清水とフロックに含有している有害物質を分解し、無害化した清浄化水と浄化フロックにすることを特徴とする凝集光触媒浄化剤とその工法。
【請求項５】
有害物質（重金属類、ＶＯＣ、ＰＣＢ、ダイオキシン類、有機化合物）を含有している廃泥水及び汚泥を汚泥吸引ポンプ等で移動式廃泥水処理プラントの凝集光触媒浄化剤投入混合撹拌装置に圧送し、凝集光触媒浄化剤を目安として１リットルの廃泥水及び汚泥に対して０．５〜３ｇを添加し、混合撹拌し、酸化チタン加工を施されているシックナー内に送られ、清水とフロックに分離する。分離した清水とフロックに含有している請求項１の配合順番及び配合含有率９番目の酸化チタンが太陽光、発光ダイオード（ＬＥＤ）の紫外線照射によって光触媒反応を起こし、また酸化チタン加工されたシックナー内の酸化チタン膜状光触媒反応によって、清水とフロックに含有している有害物質を分解し、無害化した清浄化水と浄化フロックにすることを特徴とする凝集光触媒浄化剤とその工法。
【発明の詳細な説明】
【技術分野】
【０００１】  本発明は凝集光触媒浄化剤（略称：ＳＳＣフロック＝浮遊物・クリアプリペーション・フロック）を使って有害物質（重金属類、ＶＯＣ、ＰＣＢ、ダイオキシン類、有機化合物）を含有している廃泥水及び汚泥を清水とフロックに分離する。分離した清水とフロックに含有している請求項１の配合順番及び配合含有率９番目の酸化チタンが太陽光、発光ダイオード（ＬＥＤ）の紫外線照射によって光触媒反応を起こし、清水とフロックに含有している有害物質を分解し、無害化した清浄化水と浄化フロックにする凝集光触媒浄化剤とその工法。【０００２】  そして、原料に種々の機能物質を調合して作り出したもので、優れた吸着能・イオン交換能・触媒及び光触媒（酸化還元）機能により清水とフロックに含有している有害物質（重金属類、ＶＯＣ、ＰＣＢ、ダイオキシン類、有機化合物）を分解し、無害化した清浄化水と浄化フロックにすることを目的とする。
【背景技術】
【０００３】  従来の凝集剤は、主な種類として無機・高分子・酸化第二鉄系凝集剤は数多く提供されているが、特に有害物質（重金属類、ＶＯＣ、ＰＣＢ、ダイオキシン類、有機化合物）を分解し、無害化した清浄化水と浄化フロックにする凝集剤については未だ確認することが出来ない。
【発明の開示】
【発明が解決しようとする課題】
【０００４】  一般に凝集剤は、汚濁水、廃泥水及び汚泥に含有している有害物質（重金属類、ＶＯＣ、ＰＣＢ、ダイオキシン類、有機化合物）を吸着能、イオン交換能、触媒機能と凝集剤の凝集作用によって、有害物質を凝集沈降させて、清水とフロックに分離する目的で使用されるものである。本発明の凝集光触媒浄化剤は、凝集沈降したフロックに含有している有害物質及び清水に含有している有害物質を、請求項１の配合順番及び配合含有率９番目の酸化チタンの光触媒反応によって分解し、無害化した清浄化水と浄化フロックにすることを課題として研究に取り組んできた結果において、酸化チタンの光触媒反応を応用して出来たが凝集光触媒浄化剤である。【０００５】  そこで、本発明は、従来の課題を解決し、且つ発明の目的を解決するために提供するものである。【０００６】  本発明の第１は凝集光触媒浄化剤において、有害物質（重金属類、ＶＯＣ、ＰＣＢ、ダイオキシン類、有機化合物）を含有している廃泥水及び汚泥に対する凝集光触媒浄化剤の配合順番及び配合含有率が、１番目に硫酸カルシウム２０〜４０％、２番目に硫酸アルミニウム１５〜３５％、３番目に二酸化硅素１〜１５％、４番目に炭酸ナトリウム  １０〜３０％、５番目に高分子凝集剤１〜１０％、６番目にタルカム１〜１０％、７番目にゼオラト１０〜２５％、８番目に活性炭５〜２０％、９番目に酸化チタン５〜２０％にて混合撹拌したものである。【０００７】  本発明の第２は凝集光触媒浄化工法において、有害物質（重金属類、ＶＯＣ、ＰＣＢ、ダイオキシン類、有機化合物）を含有している廃泥水及び汚泥に対する凝集光触媒浄化剤の配合順番及び配合含有率が、１番目に硫酸カルシウム２０〜４０％、２番目に硫酸アルミニウム１５〜３５％、３番目に二酸化硅素１〜１５％、４番目に炭酸ナトリウム１０〜３０％、５番目に高分子凝集剤１〜１０％、６番目にタルカム１〜１０％、７番目にゼオラト１０〜２５％、８番目に活性炭５〜２０％、９番目に酸化チタン５〜２０％にて混合撹拌して得た凝集光触媒浄化剤を有害物質（重金属類、ＶＯＣ、ＰＣＢ、ダイオキシン類、有機化合物）を含有している池、用水路、河川、運河、湖沼等の廃泥水及び汚泥に対して凝集光触媒浄化剤を目安として１リットルの廃泥水及び汚泥に対して０．５〜３ｇを添加し、高圧エアー、高圧ジェット水で混合撹拌し、清水とフロックに分離させる。分離した清水とフロックに含有している請求項１の配合順番及び配合含有率９番目の酸化チタンが太陽光の紫外線によって光触媒反応を起こし、清水とフロックに含有している有害物質を分解し、無害化した清浄化水と浄化フロックにする。【０００８】  本発明の第３は凝集光触媒浄化工法において、有害物質（重金属類、ＶＯＣ、ＰＣＢ、ダイオキシン類、有機化合物）を含有している廃泥水及び汚泥に対する凝集光触媒浄化剤の配合順番及び配合含有率が１番目に硫酸カルシウム２０〜４０％、２番目に硫酸アルミニウム１５〜３５％、３番目に二酸化硅素１〜１５％、４番目に炭酸ナトリウム１０〜３０％、５番目に高分子凝集剤１〜１０％、６番目にタルカム１〜１０％、７番目にゼオラト１０〜２５％、８番目に活性炭５〜２０％、９番目に酸化チタン５〜２０％にて、混合撹拌して得た凝集光触媒浄化剤を有害物質（重金属類、ＶＯＣ、ＰＣＢ、ダイオキシン類、有機化合物）を含有している廃泥水及び汚泥を堆積・滞留・貯留している下水マンホール、汚泥貯留タンクの中に凝集光触媒浄化剤を目安として１リットルの廃泥水及び汚泥に対して０．５〜３ｇを投入し、撹拌機、高圧エアー、高圧ジェット水で混合撹拌し、清水とフロックに分離させる。分離した清水とフロックに含有している請求項１の配合順番及び配合含有率９番目の酸化チタンが発光ダイオード（ＬＥＤ）の紫外線照射によって光触媒反応を起こし、清水とフロックに含有している有害物質を分解し、無害化した清浄化水と浄化フロックになる。清浄化水は下水に放流され、浄化フロックは汚泥吸引車で吸引され浄化汚泥として法面緑化養土等に利用される。【０００９】  本発明の第４は凝集光触媒浄化工法において、有害物質（重金属類、ＶＯＣ、ＰＣＢ、ダイオキシン類、有機化合物）を含有している廃泥水及び汚泥に対する凝集光触媒浄化剤の配合順番及び配合含有率が、１番目に硫酸カルシウム２０〜４０％、２番目に硫酸アルミニウム１５〜３５％、３番目に二酸化硅素１〜１５％、４番目に炭酸ナトリウム１０〜３０％、５番目に高分子凝集剤１〜１０％、６番目にタルカム１〜１０％、７番目にゼオラト１０〜２５％、８番目に活性炭５〜２０％、９番目に酸化チタン５〜２０％にて混合撹拌して得た凝集光触媒浄化剤を有害物質（重金属類、ＶＯＣ、ＰＣＢ、ダイオキシン類、有機化合物）を含有している廃泥水及び汚泥を堆積、滞留、貯留している池、用水路、河川、運河、湖沼、各種工場の廃泥水及び汚泥ビット、タンク等の廃泥水及び汚泥を汚泥吸引車（ダンパー車）のタンク内に吸収しながら凝集光触媒浄化剤を目安として１リットルの廃泥水及び汚泥に対して０．５〜３ｇを投入し、混合撹拌し、清水とフロックに分離する。分離した清水とフロックに含有している請求項１の配合順番及び配合含有率９番目の酸化チタンが汚泥吸引車（ダンパー車）に装備されている発光ダイオード（ＬＥＤ）の紫外線照射によって光触媒反応を起こし、清水とフロックに含有している有害物質が分解し、無害化した清浄化水と浄化フロックになる。清浄化水は河川、下水等に放流され、汚泥吸引車（ダンパー車）のタンク内に残っている浄化フロックは脱水処理機まで運搬されて脱水処理されて浄化脱水ケーキとして客土、埋め戻し土に利用される。【００１０】  本発明の第５は凝集光触媒浄化工法において、有害物質（重金属類、ＶＯＣ、ＰＣＢ、ダイオキシン類、有機化合物）を含有している廃泥水及び汚泥に対する凝集光触媒浄化剤の配合順番及び配合含有率が、１番目に硫酸カルシウム２０〜４０％、２番目に硫酸アルミニウム１５〜３５％、３番目に二酸化硅素１〜１５％、４番目に炭酸ナトリウム１０〜３０％、５番目に高分子凝集剤１〜１０％、６番目にタルカム１〜１０％、７番目にゼオラト１０〜２５％、８番目に活性炭５〜２０％、９番目に酸化チタン５〜２０％混合撹拌して得た凝集光触媒浄化剤を有害物質（重金属類、ＶＯＣ、ＰＣＢ、ダイオキシン類、有機化合物）を含有している廃泥水及び汚泥を堆積・滞留・貯留している池、用水路、河川、運河、湖沼、各種工場の廃泥水及び汚泥ビ��ト、タンク等の廃泥水及び汚泥を現場内で無害化処理をするために移動式廃泥水処理プラントを設置し、汚泥吸引ポンプ等で移動式廃泥水処理プラントの凝集光触媒浄化剤投入混合撹拌装置に圧送し、凝集光触媒浄化剤を目安として１リットルの廃泥水及び汚泥に対して０．５〜３ｇを添加し、混合撹拌し、酸化チタン加工を施されているシックナー内に送られ、清水とフロックに分離する。分離した清水とフロックに含有している請求項１の配合順番及び配合含有率９番目の酸化チタンが太陽光、発光ダイオード（ＬＥＤ）の紫外線照射によって、光触媒反応を起こし、また酸化チタン加工されたシックナー内の酸化チタン膜状光触媒反応によって、清水とフロックに含有している有害物質が分解し、無害化した清浄化水は河川、下水等に放流され、浄化フロックは脱水処理機によって浄化脱水ケーキとして盛土等に利用される。
【発明の効果】
【００１１】  本発明は上記の構成であるから、次のような効果がある。すなわち、凝集光触媒浄化剤にあっては、原料の全てを安全性の高い無機系機能資材を選んで配合してある。また資材の機能「吸着・イオン交換・触媒及び光触媒（酸化還元）・凝集・沈降・安定」を最大限に高め、多機能性を十分に発揮できるように配合されており、有害物質（重金属類、ＶＯＣ、ＰＣＢ、ダイオキシン類、有機化合物）を含有している廃泥水及び汚泥を清水とフロックに分離する。分離した清水とフロックに含有している、請求項１の配合順番及び配合含有率９番目の酸化チタンが太陽光、発光ダイオード（ＬＥＤ）の紫外線照射によって、光触媒反応を起こし、清水とフロックに含有している有害物質を分解し、無害化した清浄化水と浄化フロックにすることができる。
次に、凝集光触媒浄化剤にあっては、使用用途の範囲が広く、無機・有機系の有害物質の浄化効果も早く、簡単な作業手順で使用ができて、しかも安全性が高く低コストで施工ができるので経済的に有利である。
本発明によれば、有害物質（重金属類、ＶＯＣ、ＰＣＢ、ダイオキシン類、有機化合物）を含有している廃泥水及び汚泥を分解し、無害化に要する時間は、清浄化水においては約３０秒〜１分、浄化フロックは約１分〜４、５時間、浄化脱水ケーキは約１分〜４、５時間、長くても３ヶ月程度で無害化が可能である。しかも、清浄化水は河川、下水等に放流できる。また飲料水として利用も可能である。
さらに、浄化フロックは脱水処理機によって浄化脱水ケーキとして客土、埋め戻し土、盛土、法面緑化養土等に利用される。
そして、凝集光触媒浄化剤の浄化持続効果においては請求項１の配合順番及び配合含有率９番目に配合されている酸化チタンの光触媒反応は半永久的で、しかも無害である。
パックテストの結果、約２０秒〜１分後には、有害物質は検出されなかった。
【発明を実施するための最良の形態】
【００１２】  上記の構成において、本発明に関わる凝集光触媒浄化剤を有害物質（重金属類、ＶＯＣ、ＰＣＢ、ダイオキシン類、有機化合物）を含有している廃泥水及び汚泥と混合し、撹拌機、高圧エアー・高圧ジェット水で約２０秒〜１分程撹拌すると有害物質を含有している廃泥水及び汚泥に対して請求項１の凝集光触媒浄化剤に配合されている各種機能資材の機能（吸着・イオン交換・触媒・光触媒・凝集・沈降・安定）によって、有害物質を含有している廃泥水及び汚泥を清水とフロックに分離する。分離した清水とフロックに含有している請求項１の配合順番及び配合含有率９番目の酸化チタンが太陽光、発光ダイオード（ＬＥＤ）の紫外線照射によって、光触媒反応を起こし、清水とフロックに含有している有害物質を分解し、無害化した清浄化水と浄化フロックにすることができる。【００１３】  有害物質（重金属類、ＶＯＣ、ＰＣＢ、ダイオキシン類、有機化合物）の分解は請求項１の配合順番及び配合含有率９番目の酸化チタンが光触媒反応により電子（−）還元力と正孔（＋）酸化力が生成し水や酸素などと反応して、ＯＨラジカルやスーパーオキサイドアニオンなどの活性酸素の酸化還元反応による有害物質を分解し、無害化になる。さらにゼオライト、活性炭による吸着能・イオン交換能・触媒機能による酸化還元、一部は融合し分解して、炭酸ガス・二酸化炭素・水・塩素となって自然界の元素に戻る。
【実施例】
【００１４】  本発明に係わる凝集光触媒浄化剤を用いて有害物質（重金属類・有機化合物）を含有している廃泥水及び汚泥に対して請求項１の凝集光触媒浄化剤０．６ｇを添加し、撹拌し、清水とフロックに分離する。分離した清水とフロックに含有している請求項１の配合順番及び配合含有率９番目の酸化チタンが光触媒反応を起こし、清水とフロックに含有している有害物質が分解される。ビーカー試験を行ったところ次の結果が得られた。まず上記の有害物質を含有している廃泥水及び汚泥を採集する。ビーカー（硝子製０．２ｌ）に採集廃泥水及び汚泥（図１）に対して、請求項１の凝集光触媒浄化剤０．６ｇを添加し、撹拌をして清水とフロックに分離する。【００１５】  上記の構成において有害物質を含有している廃泥水および汚泥に対して、請求項１の凝集光触媒浄化剤０．６ｇを添加して撹拌（図２）する。【００１６】  上記の構成において、有害物質を含有している廃泥水及び汚泥に対して、請求項１の凝集光触媒浄化剤０．６ｇを添加して撹拌する。撹拌後、約２０秒前後で清水とフロックに分離（図３）する。【００１７】  上記の構成において、有害物質を含有している廃泥水及び汚泥に対して、請求項１の凝集光触媒浄化剤０．６ｇを添加して撹拌する。撹拌後、約２０秒前後で清水とフロックに分離した状態で太陽光・ブラックライトの紫外線を照射すると、約２分〜１時間でフロック表面に白色で分散している酸化チタンが光触媒反応を起こし無数の分解ガス気泡（図３）の確認ができた。分解ガス気泡の発生を確認してから約３〜４時間程で、水面に泡となって消滅している浄化状態（図４）の確認ができた。【００１８】  本発明に係わる凝集光触媒浄化剤を用いて有害物質（有機化合物）を含有している廃泥水及び汚泥に対して請求項１の凝集光触媒浄化剤０．６ｇを添加し、撹拌し、清水とフロックに分離する。分離した清水とフロックに含有している請求項１の配合順番及び配合含有率９番目の酸化チタンが光触媒反応を起こし、清水とフロックに含有している有害物質を分解する。ビーカー試験を行ったところ次の結果が得られた。まず上記の有害物質を含有している廃泥水及び汚泥を採集する。ビーカー（硝子製０．２ｌ）に採集廃泥水及び汚泥（図５）に対して、請求項１の凝集光触媒浄化剤０．６ｇを添加し、撹拌をして清水とフロックに分離する。【００１９】  上記の構成において有害物質を含有している廃泥水および汚泥に対して、請求項１の凝集光触媒浄化剤０．６ｇを添加して撹拌（図６）する。【００２０】  上記の構成において、有害物質を含有している廃泥水及び汚泥に対して、請求項１の凝集光触媒浄化剤０．６ｇを添加して撹拌する。撹拌後、約２０秒前後で清水とフロックに分離（図７）する。【００２１】  上記の構成において、有害物質を含有している廃泥水及び汚泥に対して、請求項１の凝集光触媒浄化剤０．６ｇを添加して撹拌する。撹拌後、約２０秒前後で清水とフロックに分離した状態で太陽光・ブラックライトの紫外線を照射すると約２分〜１時間でフロック表面に白色で分散している酸化チタンが光触媒反応を起こし無数の分解ガス気泡（図７）の確認ができた。分解ガス気泡の発生を確認してから約３〜４時間程で、水面に泡となって��滅している浄化状態（図８）の確認ができた。【００２２】  凝集光触媒浄化剤に含有している酸化チタンの光触媒反応を示すビーカーテスト。請求項１の配合順番及び配合含有率９番目の酸化チタンが太陽光にあたって光触媒反応を起こし、清水とフロックに含有している有害物質を分解し、分解ガス気泡を発生させている浄化状態（図９）の確認ができた。
【実施例２】
【００２３】  りんのパックテスト
図１０において、請求項１の配合順番及び配合含有率の凝集光触媒浄化剤（ＳＳＣフロック）でりんのパックテストを行ったところ、濃紫系の検体原液がほぼ無色透明の液体に変化した。【００２４】  六価クロムのパックテスト
図１１において、請求項１の配合順番及び配合含有率の凝集光触媒浄化剤（ＳＳＣフロック）で六価クロムのパックテストを行ったところ、紫色系の検体原液がほぼ無色透明の液体に変化した。【００２５】  銅のパックテスト
図１２において、請求項１の配合順番及び配合含有率の凝集光触媒浄化剤（ＳＳＣフロック）で銅のパックテストを行ったところ、黄色系の検体原液がほぼ無色透明の液体に変化した。【００２６】  ひ素のパックテスト
図１３において、請求項１の配合順番及び配合含有率の凝集光触媒浄化剤（ＳＳＣフロック）でひ素のパックテストを行ったところ、青色系の検体原液がほぼ無色透明の液体に変化した。
【実施例３】
【００２７】「凝集光触媒浄化剤の作業施工例」凝集光触媒浄化剤を適用する池、用水路、河川、運河、湖沼等に堆積・滞留している、有害物質（重金属、ＶＯＣ、ＰＣＢ、ダイオキシン類、有機化合物）を含有している廃泥水及び汚泥に対して、凝集光触媒浄化剤を散布（投入）し、高圧エアー、高圧ジェット水で混合撹拌し、清水とフロックに分離する。分離した清水とフロックを清浄化水と浄化フロックにする浄化施工である。用水路、河川、運河についての浄化施工は、上流域から下流域に一定区間を定め、堆積・滞留の廃泥水及び汚泥の水量・汚泥含有容量・流速を計測して、廃泥水及び汚泥１ｍ３（１．２ｔ）に対して５００ｇ〜３ｋｇを設定する。次に高圧ジェットポンプ等の高圧ジェット水で有害物質を含有している廃泥水及び汚泥を上流域から下流域に移動しながら高圧ジェット水で掘り起こし凝集光触媒浄化剤を散布（投入）し、混合撹拌する。撹拌された廃泥水及び汚泥は約２０数秒〜１分程で清水とフロックに分離しながら清水は下流域に、フロックは川床に沈澱して堆積する。また、下流域に流れる清水と川床に沈澱しているフロックに含まれている酸化チタンが、太陽光の紫外線にあたって光触媒反応を起こし、有害物質を分解し、無害化した清浄化水と浄化フロックになる。池、湖沼についての浄化施工は、高圧エアーで廃泥水及び汚泥を撹拌させながら凝集光触媒浄化剤を散布（投入）し、混合撹拌することで清水とフロックに分離する。分離した清水とフロックに含有している酸化チタンが太陽光の紫外線によって光触媒反応を起こし、清水とフロックに含有している有害物質を分解し、無害化した清浄化水と浄化フロックになる。【００２８】  「凝集光触媒浄化剤の施工例」凝集光触媒浄化剤を適用する下水マンホール、工場汚泥タンクに堆積、滞留・貯留している。有害物質（重金属、ＶＯＣ、ＰＣＢ、ダイオキシン類、有機化合物）を含有している廃泥水及び汚泥を下水マンホール、工場汚泥タンク内においての浄化施工である。下水マンホール・汚泥タンク内の廃泥水及び汚泥の容量を計測し、凝集光触媒浄化剤の投入量として、廃泥水及び汚泥１ｍ３（１．２ｔ）に対して５００ｇ〜３ｋｇを設定する。次に下水マンホール、汚泥タンク内の廃泥水及び汚泥に定められた凝集光触媒浄化剤を投入し、撹拌機、高圧エアー、高圧ジェット水で混合撹拌する。混合撹拌後、約２０数秒〜１分程で清水とフロックに分離する。分離した下水マンホール、汚泥タンク内の清水とフロックに含まれている酸化チタンに発光ダイオード（ＬＥＤ）の紫外線を照射する。紫外線を照射された酸化チタンが光触媒反応を起こし、清水とフロックに含有している有害物質を分解し、無害化した清浄化水と浄化フロックになる。作業終了後、清浄化水は下水等に放流され、浄化フロックは汚泥吸引車（ダンパー車）で吸引され浄化汚泥として法面緑化養土等に利用される。【００２９】  「凝集光触媒浄化剤の施工例」凝集光触媒浄化剤を適用する池、用水路、河川、運河、湖沼、各種工場の廃泥水及び汚泥ピット・タンク等に堆積・滞留・貯留している有害物貿（重金属類、ＶＯＣ、ＰＣＢ、ダイオキシン類、有機化合物）を含有している廃泥水及び汚泥を汚泥吸引車（ダンパー車）のタンク内に吸引し��タンク内においての浄化施工である。有害物質を含有している廃泥水及び汚泥を汚泥吸引車（ダンパー車）のタンク内に吸引する。タンク内の容量を計測して、凝集光触媒浄化剤投入量として、廃泥水及び汚泥１ｍ３（１．２ｔ）に対して５００ｇ〜３ｋｇを設定する。汚泥吸引車（ダンパー車）の吸引口にあらかじめ投入量を定められている凝集光触媒浄化剤を少量づつ手作業で約５、６分程かけて投入しながら、タンク内で混合撹拌し、清水とフロックに分離する。次にタンク上部の蓋を開けて、タンク内の清水とフロックに含有している、請求項１の配合順番及び配合含有率９番目の酸化チタンに発光ダイオード（ＬＥＤ）の紫外線を照射する。紫外線を照射された酸化チタンが光触媒反応を起こし、清水とフロックに含有している有害物質を分解し、無害化した清浄化水と浄化フロックになる。作業終了後、清浄化水は河川・下水等に放流され、浄化フロックは脱水処理機まで運搬され浄化脱水ケーキとして客土、埋め戻し土に利用される。【００３０】  「凝集光触媒浄化剤の施工例」凝集光触媒浄化剤を適用する池、用水路、河川、運河、湖沼、各種工場の廃泥水及び汚泥ピット・タンク等に堆積・滞留・貯留している廃泥水及び汚泥を現場内の移動式廃泥水処理プラントにおいて、無害化処理をする浄化施工である。有害物質（重金属類、ＶＯＣ、ＰＣＢ、ダイオキシン類、有機化合物）を含有している廃泥水及び汚泥を汚泥吸引ポンプ等で移動式廃泥水処理プラントの凝集光触媒浄化剤投入混合撹拌装置に圧送し、凝集光触媒浄化剤の添加量として廃泥水及び汚泥１ｍ３（１．２ｔ）に対して５００ｇ〜３ｋｇを添加し、混合撹拌し、酸化チタン加工を施されているシックナーに送られ、清水とフロックに分離する。分離した清水とフロックに含有している酸化チタンが太陽光とシックナーに装備されている発光ダイオード（ＬＥＤ）の紫外線照射によって光触媒反応を起こし、また酸化チタン加工されたシックナー内の酸化チタン膜状光触媒反応によって、清水とフロックに含有している有害物質が分解し、無害化した清浄化水と浄化フロックになる。無害化になった清浄化水は河川、下水等に放流され、浄化フロックは脱水処理機によって、浄化脱水ケーキとして盛土等に利用される。
【産業上の利用可能性】
【００３１】  本発明は、池、用水路、河川、運河、湖沼等の水源地の水の浄化処理と有害物質を含んでいる沈澱堆積汚泥の無害化処理、下水マンホール、各種工場汚泥タンク内に沈澱堆積している廃泥水及び汚泥の無害化処理に適し、水の浄化処理と有害物質を含んでいる沈澱堆積汚泥の無害化処理効率の大幅な向上及び用途の拡大が図れる。
【図面の簡単な説明】
【００３２】
【図１】  有害物質（重金属類、有機化合物）を含有している採集廃泥水及び汚泥を示す図面代用写真である。
【図２】  有害物質を含有している採集廃泥水及び汚泥に対して凝集光触媒浄化剤を添加し、混合撹拌している状態を示す図面代用写真である。
【図３】  採集廃泥水及び汚泥に対して凝集光触媒浄化剤を添加し、混合撹拌後、清水とフロックに分離している状態を示す図面代用写真である。
【図４】  清水とフロックに含有している酸化チタンが太陽光にあたって、光触媒反応を起こし、清水とフロックに含有している有害物質を分解し、分解ガス気泡を発生し、水面上に泡となって浮いている浄化状態を示す図面代用写真である。
【図５】  有害物質（有機化合物）を含有している採集廃泥水及び汚泥を示す図面代用写真である。
【図６】  有害物質を含有している採集廃泥水及び汚泥に対して凝集光触媒浄化剤を添加し、混合撹拌している状態を示す図面代用写真である。
【図７】  採集廃泥水及び汚泥に対して凝集光触媒浄化剤を添加し、混合撹拌後、清水とフロックに分離している状態を示す図面代用写真である。
【図８】  清水とフロックに含有している酸化チタンが太陽光にあたって、光触媒反応を起こし、清水とフロックに含有している有害物質を分解し、分解ガス気泡を発生し、水面上に泡となって浮いている浄化状態を示す図面代用写真である。
【図９】  清水とフロックに含有している酸化チタンが太陽光にあたって光触媒反応を起こし、清水とフロックに含有している有害物質を分解し、分解ガス気泡を発生している状態を示す図面代用写真である。
【図１０】  りんのパックテストを示す図面代用写真である。
【図１１】  六価クロムのパックテストを示す図面代用写真である。
【図１２】  銅のパックテストを示す図面代用写真である。
【図１３】  ひ素のパックテストを示す図面代用写真である。
【図１４】  下水マンホール（沈澱槽）内に堆積・滞留している有害物質（重金属類、ＶＯＣ、ＰＣＢ、ダイオキシン類、有機化合物）を含有している廃泥水及び汚泥に対して汚泥吸引車（ダンパー車）のタンク内で凝集光触媒浄化剤と混合撹拌し、清水とフロックに分離させた後、発光ダイオード（ＬＥＤ）を使用してタンク内で清水とフロックに含有している酸化チタンの光触媒反応を起こし清水とフロックに含有している有害物質を分解している汚泥吸引車（ダンパー車）のタンク内の断面図である。
【図１５】  有害物質（重金属類、ＶＯＣ、ＰＣＢ、ダイオキシン類、有機化合物）を含有している廃泥水及び汚泥を汚泥吸引ポンプ等で移動式廃泥水処理プラントの凝集光触媒浄化剤投入混合撹拌装置に圧送し、凝集光触媒浄化剤を添加し、混合撹拌し、酸化チタン加工を施されているシックナー内に送られ清水とフロックに分離する。分離した清水とフロックに含有している酸化チタンが太陽光と発光ダイオード（ＬＥＤ）の紫外線照射によって光触媒反応を起こし、また酸化チタン加工されたシックナー内の酸化チタン膜状光触媒反応によって、清水とフロックに含有している有害物質が分解し、無害化した清浄化水と浄化フロックにする移動式廃泥水処理プラントの断面図である。
【図１】
2005058987.tif 000003
【図２】
2005058987.tif 000004
【図３】
2005058987.tif 000005
【図４】
2005058987.tif 000006
【図５】
2005058987.tif 000007
【図６】
2005058987.tif 000008
【図７】
2005058987.tif 000009
【図８】
2005058987.tif 000010
【図９】
2005058987.tif 000011
【図１０】
2005058987.tif 000012
【図１１】
2005058987.tif 000013
【図１２】
2005058987.tif 000014
【図１３】
2005058987.tif 000015
【図１４】
2005058987.tif 000016
【図１５】
2005058987.tif 000017